(57)【要約】【課題】デジタル放送を受信して多重化された複数のデータを分離し、分離した前記データを視聴可能に再生するデジタル放送受信再生装置において、特定の受信端末に特定のデータを再生させる。【解決手段】前記デジタル放送受信再生装置は、前記データの再生条件を記憶した記憶部と、前記データの再生条件に基づいて前記データを再生するデータ再生手段とを備える。【選択図】  図１
2007074627.tif 000002
【特許請求の範囲】
【請求項１】
デジタル放送を受信して多重化された複数のデータを分離し、分離した前記データを視聴可能に再生するデジタル放送受信再生装置において、
前記データの再生条件を記憶した記憶部と、
前記再生条件に基づいて前記データを再生するデータ再生手段と
を備えることを特徴とするデジタル放送受信再生装置。
【請求項２】
請求項１に記載されたデジタル放送受信再生装置において、
前記データは、再生を制限すべき制限データを含み、
前記データ再生手段は、前記再生条件に基づいて前記制限データを再生する
を備えることを特徴とするデジタル放送受信再生装置。
【請求項３】
請求項１又は２に記載されたデジタル放送受信再生装置において、
前記データ再生手段は、
所定の識別子を備えたデータを前記制限データとする制限データ識別手段と、
前記制限データ識別手段により識別された前記制限データを前記再生条件に基づいて再生する制限データ再生手段とを備える
ことを特徴とするデジタル放送受信再生装置。
【請求項４】
請求項１乃至３のいずれか１項に記載されたデジタル放送受信再生装置において、
前記再生条件は、データの再生日時を含む
ことを特徴とするデジタル放送受信再生装置。
【請求項５】
デジタル放送を受信して多重化された複数のデータを分離し、分離した前記データを視聴可能に再生するデジタル放送受信再生方法において、
前記データの再生条件に基づいて、前記データを再生するデータ再生ステップと
を備えことを特徴とするデジタル放送受信再生方法。
【請求項６】
複数のデータが多重化されたデジタル放送から分離された前記データをそれぞれ視聴可能に再生するデジタル放送受信再生プログラムにおいて、コンピュータに、
データの再生条件に基づいて、前記データを再生するデータ再生ステップ
を実行させることを特徴とするデジタル放送受信再生プログラム。
【発明の詳細な説明】
【技術分野】
【０００１】
本発明は、デジタル放送の視聴に関し、特に、特定ユーザにのみ特定の情報を提供する装置、方法及びプログラムに関する。
【背景技術】
【０００２】
従来、放送の形態としては、映像情報及び音声情報の受信だけであるアナログ放送と、文字放送や双方向通信などいろいろなサービスが可能なデジタル放送とに区分される。
現在、この形態の流れは、アナログ放送からデジタル放送への移行が進んでいる。
放送局から送信されているデジタル放送は、基本的には、放送を受信するすべての人に同じ音声データ、映像データ及び文字データを提供している。
【０００３】
この点、特定の受信者に特定の情報（以下、「限定情報」という）を提供する技術があれば、多様なサービスが可能となる。
例えば、特定の購買層に対して特定のＣＭやキャンペーン情報を流すことで企業は、大きなＣＭ効果を上げることができる。受信者にとっては、自己の購買意欲に適したＣＭやキャンペーン情報を得ることができる。
従って、デジタル放送において、特定の受信者に対して限定情報を視聴させる技術への要望があり、多くの技術が考え出されている。
【０００４】
こうした技術は、情報を送信する側、例えば、放送局側及びサーバ側が特定の受信者毎に提供する情報を制限して送信することで実現するものである。
例えば、この技術の一つに解除キーを受信者に発行する解除キー発行方式がある。
解除キー発行方式は、送信側はデジタル放送にスクランブル処理を施して受信者に送信する。解除キーを発行された特定の受信者は、解除キーを使ってデジタル放送の一部又は全部のスクランブル処理を外すことで、スクランブル処理されていたデジタル放送を視聴できるというものである。
【０００５】
なお、出願人は、本明細書に記載した先行技術文献情報で特定される先行技術文献以外には、本発明に関連する先行技術文献を出願時までに発見するには至らなかった。
【特許文献１】特開２００２−１２５１６８号公報
【特許文献２】特開２００２−３１５０２３号公報
【特許文献３】特開２００２−３６６０３２号公報
【特許文献４】特開２００３−００９１２９号公報
【特許文献５】特開２００３−０２２３１８号公報
【特許文献６】特開２００３−２６３５８２号公報
【特許文献７】特開２００４−２７４１３９号公報
【特許文献８】特開２００４−３１２２８３号公報
【特許文献９】特開２００５−１３５２５３号公報
【発明の開示】
【発明が解決しようとする課題】
【０００６】
しかしながら、上述した解除キー発行方式は、送信側でデジタル放送にスクランブル処理を施し、受信側でスクランブル処理を外す作業が発生するため、双方に大きな負担となる。また、今後家庭用テレビだけでなく、携帯電話端末などによるデジタル放送の受信が可能となり、より簡易な方式による技術が望まれている。
【０００７】
そこで本発明は、より簡易に、特定の受信者に対して限定情報を提供することを目的とする。
【課題を解決するための手段】
【０００８】
そこで、本発明であるデジタル放送受信方法は、デジタル放送を受信して多重化された複数のデータを分離し、分離した前記データを視聴可能に再生するデジタル放送受信再生方法において、前記データの再生条件に基づいて、前記データを再生するデータ再生ステップとを備えることを特徴とする。
このデジタル放送受信方法を具体化したデジタル放送受信再生装置は、デジタル放送を受信して多重化された複数のデータを分離、分離した前記データを視聴可能に再生するデジタル放送受信再生装置において、前記データの再生条件を記憶した記憶部と、前記再生条件に基づいて前記データを再生するデータ再生手段とを備える。
【０００９】
ここで、前記データは、再生を制限すべき制限データを含み、前記データ再生手段は、前記再生条件に基づいて前記制限データを再生してもよい。また、前記データ再生手段は、所定の識別子を備えたデータを前記制限データとする制限データ識別手段と、前記制限データ識別手段により識別された前記制限データを前記再生条件に基づいて再生する制限データ再生手段とを備えるよい。さらに、前記再生条件は、データの再生日時を含んでもよい。
【発明の効果】
【００１０】
本発明によれば、デジタル放送局は、既存の一般向けのデジタル放送を放送すればよい。一方、デジタル放送受信再生装置は、データ再生手段によりデータの再生を制限する（再生条件に基づいて再生する）ことができる。具体的には、制限データ識別手段により再生を制限された（所定の識別子を備えた持たない）制限データと既存の（所定の識別子を持たない）データとを分けることにより既存データとの互換性を維持し、制限データ再生手段により制限データの再生を制限することができる。また、再生条件にデータの再生日時を設けることで、デジタル放送受信再生装置は、放送終了後でも特定の日時に限定情報を受信者に視聴させることができるので、特定の日時に視聴させることで大きな効果を生むＣＭ、例えば、クリスマスにケーキのＣＭ等を行うことができる。
【発明を実施するための最良の形態】
【００１１】
以下、本発明の実施の形態について図面を参照しながら説明する。
図１は、本発明の実施の形態にかかるデジタル放送受信再生装置の機能を有する携帯電話端末１の構成例を示す構成図である。
以下、音声データ、映像データ及び文字データが多重化されたデジタル放送において、文字データの中から、特定の文字列（例えば、”温泉旅行の応募はこちら”）を特定のユーザの携帯電話端末１においてのみ表示する場合を例に説明する。
なお、再生（表示）が制限される文字列に対応するデータを、以下「制限文字データ」と呼ぶことにする。
また、デジタル放送の送受信及びデータの多重化・分離については公知の技術を用いるものとして、その詳細な説明は省略する。
【００１２】
携帯電話端末１は、携帯電話端末１の動作命令を直接入力する入力部１２と、ウェブアクセスに係るパケットを送受信するウェブ用アンテナ１３と、このウェブ用アンテナ１３を用いてパケットの送受信を制御する無線制御部１１と、デジタル放送に係るパケットを受信するデジタル放送用アンテナ１４と、このデジタル放送用アンテナ１４から送られてくるパケットからデジタル放送γを取得し、このデジタル放送γを音声データ、映像データ及び文字データとに分け、それぞれを中央演算装置２２に入力する多重分離チューナー部１５と、再生条件データベース及び買い物履歴情報や企業情報などを記憶する非接触ＩＣ１６と、この非接触ＩＣ１６のデータの書き込み及び読み出し（データの設定）を行う非接触リーダ／ライタ部１７と、ウェブアクセスを提供するウェブアクセス機能部１８と、入力された文字信号を視聴可能な文字情報として、又は映像信号を視聴可能な映像情報として再生（表示）する表示部１９と、入力された音声信号を視聴可能な音声情報として再生する音声出力部２０と、文字信号、映像信号又は音声信号を録画する録画機能部２１と、各部を連動して動作させる中央演算装置２２とから構成される。
【００１３】
再生条件データベースは、再生条件データの集合である。
再生条件データは、上述した再生条件に相当し、制限文字データの再生日時を備える。
【００１４】
さらに、中央演算装置２２は、多重分離チューナー部１５から入力された音声データと映像データを再生可能な音声信号と映像信号とにそれぞれ変換し、音声信号を音声出力部２０に、映像信号を表示部１９に入力する音声・映像データ処理部２３と、分離チューナー部１５から入力された文字データから制限文字データを識別し、この制限文字データに該当する再生条件データを検索し、制限文字データをこの再生条件データに基づいて処理する文字データフラグチェック部２４と、入力された文字データを再生可能な文字信号に変換する文字データ処理装置２５と、各部の制御、各部間のデータ及び信号の入出力、データの演算処理及び同期等の制御を行うデータ処理部２６とから構成される。
なお、制限文字データの識別については、後述するものとし、また、特に限定しない各部間のデータ又は信号の送受信は、データ処理部２６を介することで実現されるものとする。
【００１５】
次に、携帯電話端末１を用いたデジタル放送システムの構成例を図２に示す。
図２は、携帯電話端末１と、情報処理部５２と非接触ＩＣリーダ／ライタ部５３とから構成される店舗５１と、商品の製造・店舗販売及びウェブ販売・広告などを行うメーカー７０と、デジタル放送をパケット送信するデジタル放送局８０とからなるシステム構成図である。
携帯電話端末１とメーカー７０は、基地局５０と交換機６０とＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）などのネットワーク１００を介してウェブ接続されているものとする。
なお、携帯電話端末１及びその他のデジタル放送システムは、それぞれＣＰＵと主記憶装置と外部記憶装置とネットワーク接続装置などを備えたコンピュータ機器であり、主記憶装置に展開されたプログラムによりＣＰＵが動作することで、各機能部及びデータベース等が実現される。また、各機能部及びデータベース等は、複数のコンピュータ機器に分散させるようにしてもよい。
【００１６】
以下に、図１及び図２を参照しながら、携帯電話端末１を用いたデジタル放送システムの流れを、携帯電話端末１に再生条件データを設定する「（１）再生条件データ設定ステップ」と、携帯電話端末１のデジタル放送の再生動作である「（２）デジタル放送再生制御ステップ」とに分けて説明する。
（１）再生条件データ設定ステップ
再生条件データを携帯電話端末１に設定する契機としては、例えば、携帯電話端末１に内蔵された決算機能やウエブアクセス機能を用いたショッピング時が考えられる。以下、店舗５１で商品の決済時に携帯電話端末１に再生条件データαを設定する「（１−１）店舗設定」と、メーカーのウエブサイトで買い物をした時に携帯電話端末１に再生条件データβを設定する「（１−２）ウェブ設定」をそれぞれを図３、４のフローチャートを参照しながら説明する。
【００１７】
（１−１）店舗設定
店舗５１は、情報処理部５２と非接触ＩＣリーダ／ライタ５３とで構成されている。また、店舗５１は、メーカー７０からの指示等δにより、再生条件データαと再生条件データ設定条件とその他の情報データ（例えば一般向けの商品情報等、以下、「商品データ」という）を予め保持している。再生条件データ設定条件は、例えば、メーカー７０が指定する商品を購入した場合に再生条件データを携帯電話端末１に設定する等、再生条件データαを設定する条件である。
なお、携帯電話端末１は、店舗５１の非接触ＩＣリーダ／ライタ５３が非接触ＩＣ１６に再生条件データαを設定できる距離にあるとして説明する。
【００１８】
図３は、本設定における手順の例を示すフローチャートである。以下、図３を参照しながら再生条件データαを設定する手順を説明する。
まず、情報処理部５２は、この再生条件データ設定条件に基づいて携帯電話端末１に商品データと併せて再生条件データαを設定するか判断する（Ｓ１０１）。情報処理部５２は、再生条件データαも併せて設定する場合は、非接触ＩＣリーダ／ライタ５３に対し再生条件データαと商品データを携帯電話端末１に設定するよう指示し（Ｓ１０２）、再生条件データαを設定しない場合は、非接触ＩＣリーダ／ライタ５３に対し商品データのみを携帯電話端末１に設定するよう指示する（Ｓ１０３）。指示を受けた非接触ＩＣリーダ／ライタ５３は、携帯電話端末１内の非接触ＩＣ１６に指示されたデータを設定する（Ｓ１０４）。ここでは、再生条件データαが設定されたとする。
【００１９】
（ｂ）ウェブ設定
メーカー７０は、「（ａ）店舗設定」同様、商品データと再生条件データβと再生条件データ設定条件とを予め保持している。
なお、携帯電話端末１のウェブアクセス機能部１８を介してメーカ−７０とウェブ接続されているものとして説明する。
【００２０】
図４は、本設定における手順の例を示すフローチャートである。以下、図４を参照しながら再生条件データβを設定する手順を説明する。
まず、メーカー７０は、この再生条件データ設定条件を参照し携帯電話端末１に商品データと併せて再生条件データβを設定するか判断する（Ｓ２０１）。メーカー７０は、再生条件データβも併せて設定する場合、ウェブアクセス機能部１８に一般データと再生条件データβを非接触ＩＣ１６に設定するよう依頼し（Ｓ２０２）、再生条件データβを設定しない場合は、ウェブアクセス機能部１８に商品データのみを非接触ＩＣ１６に設定するよう依頼する（Ｓ２０３）。ウェブアクセス機能部１８は、指示されたデータを非接触ＩＣ１６に設定するよう非接触ＩＣリーダ／ライタ１７に指示する（Ｓ２０４）。非接触ＩＣリーダ／ライタ１７は、非接触ＩＣ１６に指示されたデータを設定する（Ｓ２０５）。ここでは、再生条件データβが設定されたとする。
【００２１】
従って、いずれの設定においても再生条件データは、携帯電話端末１の再生条件データベースに追加される。
なお、上述した商品データと再生条件データは、例えば、非接触ＩＣ１６以外の携帯電話端末１外部又は内部の記憶部に保存してもよい。また、再生条件データの設定方法は、例えば、入力部１２を用いて設定する方法等でもよい。
【００２２】
（２）デジタル放送再生制御ステップ
本ステップは、図５に示すように「（２−１）デジタル放送送信フェーズ」と「（２−２）デジタル放送受信フェーズ」と「（２−３）文字データ再生フェーズ」と「（２−４）音声データ及び映像データ再生フェーズ」とから構成される。
以下に、それぞれのフェーズを図６、７、８、９のフローチャートを参照しながら説明する。
【００２３】
（２−１）デジタル放送送信フェーズ
図６は、デジタル放送を送信する手順の例である。
メーカー７０は、音声データ、映像データ及び制限文字データを含んだ文字データを多重化したデジタル放送γを作成する（Ｓ３０１）。制限文字データには、所定の識別子（以下、「制限フラグ」という。）が与えられている。
メーカー７０は、デジタル放送局８０にデジタル放送γの放送を依頼εする（Ｓ３０２）。
デジタル放送局８０は、一般向けデジタル放送と同様に、依頼εに基づきデジタル放送γを携帯電話端末１にパケット送信する（Ｓ３０３）。
【００２４】
（２−２）デジタル放送受信フェーズ
図７は、携帯電話端末１がデジタル放送γを受信する手順の例である。
デジタル放送用アンテナ１４は、このパケットを受信し、分離チューナー部１５に入力する（Ｓ４０１）。
分離チューナー部１５は、入力されたパケットからデジタル放送γを取得する（Ｓ４０２）。
そして、分離チューナー部１５は、デジタル放送γを音声データ、映像データ及び文字データとに分離し、音声データと映像データとを音声・映像データ処理部２３に、文字データを文字データフラグチェック部２４にそれぞれ入力する（Ｓ４０３）。
【００２５】
（２−３）文字データ再生フェーズ
図８は、文字データを再生する手順の例である。
文字データフラグチェック部２４には、文字データが入力される。文字データフラグチェック処理部２４は、文字データの中から、制限フラグを備えた制限文字データを識別する（Ｓ５０１）。この識別フローは、上述した制限データ識別手段に相当する。
【００２６】
制限文字データが識別された場合（Ｓ５０１：Ｙｅｓ）、文字データフラグチェック処理部２４は、この制限文字データに対応する再生条件データがあるか再生条件データベースを検索する（Ｓ５０２）。
該当する再生条件データが検索された場合（Ｓ５０３：Ｙｅｓ）、文字データフラグチェック部２４は、この再生条件データの再生日時と現在の日時が合致するか判定する（Ｓ５０４）。日時が合致した場合（Ｓ５０４：Ｙｅｓ）、文字データフラグチェック部２４は、制限文字データを文字データ処理部２５に入力し、制限文字データの再生動作（Ｓ５０６〜Ｓ５０８）を開始させる。
【００２７】
再生条件データが検索されなかった場合（Ｓ５０３：Ｎｏ）、文字データフラグチェック部２４は、この文字データについての再生動作を開始させない。つまり、再生条件データが検索されなかったということは、この携帯電話端末１では、この制限文字データを再生（表示）することは、許されていない、ということを示す。
【００２８】
再生日時が現在日時と合致しない場合（Ｓ５０４：Ｎｏ）、文字データフラグチェック部２４は、制限文字データを録画記憶部２１に記憶する（Ｓ５０５）。文字データフラグチェック部２４は、再生日時が現在日時と合致した場合（Ｓ５０４：Ｙｅｓ）、制限文字データを文字データ処理部２５に入力（Ｓ５０６）し、制限文字データの再生動作を開始する（Ｓ５０７〜Ｓ５０８）。
なお、録画するデータは、制限文字データに限定するものではなく、再生条件の設定により音声データ又は映像データ等とでもよい。
【００２９】
一方、制限文字データが識別されない場合（Ｓ５０１：Ｎｏ）、文字データフラグチェック処理部２４は、制限文字データでない文字データ、つまり既存の、一般ユーザの視聴を限定しない文字データ（以下、「一般文字データ」という。）と判断し、この一般文字データを文字データ処理部２５に入力（５０６）し、一般文字データの再生動作を開始する。
【００３０】
次に、再生動作の手順について説明する。まず、文字データ処理部２５は、入力された文字データを再生可能な文字信号に変換し、この文字信号を表示部１９に入力する（Ｓ５０７）。表示部１９は、入力された文字信号を視聴可能な状態（文字情報）に再生する（Ｓ５０８）。
【００３１】
（２−４）音声データ及び映像データ再生フェーズ
図９は、音声データ及び映像データを再生する手順の例である。
音声・映像データ処理部２３には、音声データと映像データが入力される。
音声・映像データ処理部２３は、音声データを再生可能な音声信号に、また映像データを再生可能な映像信号に変換する（Ｓ６０１）。音声・映像データ処理部２３は、音声信号を音声出力部２０に入力する（Ｓ６０２）。音声出力部２０に入力された音声信号は、視聴可能な状態（音声情報）として再生される（Ｓ６０３）。また、音声・映像データ処理部２３は、映像データを表示部１９に入力する（Ｓ６０４）。表示部１９に入力された映像信号は、視聴可能な状態（映像情報）として再生される（Ｓ６０５）。
【００３２】
説明は省略したが、音声情報、映像情報及び文字情報は、データ処理部２６により同期制御されて出力される。
図１０は、文字データのうち一般文字データのみを表示する一般ユーザ受信画面と制限文字データも表示する特定ユーザ受信画面の表示例を示す図である。
図１０が示すように、特定の受信者に対して”温泉旅行の応募はこちら”を視聴させることができる。
なお、本実施の形態では、文字データの再生を制限する例を説明したが、他の情報、例えば音声データ又は映像データの再生を制限してもよい。
また、再生方法において、所定の識別子を備えたデータの再生日時としたが、制限データの再生動作、例えば、制限データのスクロール再生や映像の２倍速再生等としてもよい。
【図面の簡単な説明】
【００３３】
【図１】本発明の実施の形態にかかる携帯電話端末の構成図である。
【図２】本発明の実施の形態におけるデジタル放送送受信システムのシステム構成図である。
【図３】本発明の実施の形態における再生条件設定の手順の一例を示すフローチャートである。
【図４】本発明の実施の形態における再生条件設定の手順の他の例を示すフローチャートである。
【図５】本発明の実施の形態における再生制御ステップを示すフローチャートである。
【図６】本発明の実施の形態におけるデジタル放送送信フェーズの処理を示すフローチャートである。
【図７】本発明の実施の形態におけるデジタル放送受信フェーズの処理を示すフローチャートである。
【図８】本発明の実施の形態における文字情報再生フェーズの処理を示すフローチャートである。
【図９】本発明の実施の形態における音声情報及び映像情報再生フェーズの処理を示すフローチャートである。
【図１０】本発明の実施の形態における再生制御結果を示す図である。
【符号の説明】
【００３４】
１…携帯電話端末、１１…無線制御部、１２…入力部、１３…ウェブ用アンテナ、１４…デジタル放送用アンテナ、１５…分離チューナー部、１６…非接触ＩＣ、１７…非接触ＩＣリーダ／ライタ部、１８…ウェブアクセス機能部、１９…表示部、２０…音声出力部、２１…録画機能部、２２…中央演算装置、２３…音声・映像データ処理部、２４…文字データフラグチェック部、２５…文字データ処理部、２６…データ処理部、４１…店舗、４２…情報処理部、４３…非接触ＩＣリーダ／ライタ部、５０…基地局、６０…交換機、７０…メーカー、８０…デジタル放送局、１００…ネットワーク、α…店舗設定による再生条件データ、β…ウェブ設定による再生条件データ、γ…デジタル放送、δ…メーカー７０からの指示等、ε…依頼。
【図１】
2007074627.tif 000003
【図２】
2007074627.tif 000004
【図３】
2007074627.tif 000005
【図４】
2007074627.tif 000006
【図５】
2007074627.tif 000007
【図６】
2007074627.tif 000008
【図７】
2007074627.tif 000009
【図８】
2007074627.tif 000010
【図９】
2007074627.tif 000011
【図１０】
2007074627.tif 000012